(57)【特許請求の範囲】
【請求項１】
電極を介してＥＬ素子を駆動するための駆動用半導体装置であって、
複数の定電流駆動回路又は定電圧駆動回路からなる定電流駆動回路又は定電圧駆動回路の列が複数列並設され、該定電流駆動回路又は定電圧駆動回路には前記電極に接続される出力バンプが一つずつ設けられ、定電流駆動回路又は定電圧駆動回路は各々に設けられた出力バンプを介して前記電極に接続されており、
複数の前記出力バンプからなる出力バンプ列が、複数列並設されたことを特徴とする駆動用半導体装置。
【請求項２】
前記複数の出力バンプ列は、それぞれ直線的に配置された複数の前記出力バンプからなるとともに、互いに平行な状態で並設されている請求項１に記載の駆動用半導体装置。
【請求項３】
前記ＥＬ素子はカラー表示可能なカラー表示装置の表示部を構成するものであり、前記ＥＬ素子の各々の色に対応する前記出力バンプが、同一の前記出力バンプ列に配置されている請求項２に記載の駆動用半導体装置。
【請求項４】
前記出力バンプ列は、２列配置されている請求項１〜３のいずれか一項に記載の駆動用半導体装置。
【請求項５】
前記出力バンプ列は、３列配置されている請求項１〜３のいずれか一項に記載の駆動用半導体装置。
【請求項６】
データ駆動用半導体装置と、
走査駆動用半導体装置と、
前記データ駆動用半導体装置に設けられた出力バンプに接続されたデータ電極と、
前記走査駆動用半導体装置に接続されるとともに前記データ電極に対して交差して設けられた走査電極と、
前記データ電極と前記走査電極との交差部分に接続されたＥＬ素子を構成する発光層を有する表示部と
を備え、
前記データ駆動用半導体装置には複数の定電流駆動回路又は定電圧駆動回路からなる定電流駆動回路又は定電圧駆動回路の列が複数列並設され、該定電流駆動回路又は定電圧駆動回路には前記出力バンプが一つずつ設けられ、定電流駆動回路又は定電圧駆動回路は各々に設けられた前記出力バンプを介して前記データ電極に接続されており、
前記データ駆動用半導体装置には、複数の前記出力バンプからなる出力バンプ列が複数列並設されている表示装置。
【請求項７】
データ駆動用半導体装置と、
走査駆動用半導体装置と、  
前記データ駆動用半導体装置に接続されたデータ電極と、
前記走査駆動用半導体装置に設けられた出力バンプに接続されるとともに前記データ電極に対して交差して設けられた走査電極と、
前記データ電極と前記走査電極との交差部分に接続されたＥＬ素子を構成する発光層を有する表示部と
を備え、
前記走査駆動用半導体装置には複数の定電流駆動回路又は定電圧駆動回路からなる定電流駆動回路又は定電圧駆動回路の列が複数列並設され、該定電流駆動回路又は定電圧駆動回路には前記出力バンプが一つずつ設けられ、定電流駆動回路又は定電圧駆動回路は各々に設けられた前記出力バンプを介して前記走査電極に接続されており、
前記走査駆動用半導体装置には、複数の前記出力バンプからなる出力バンプ列が複数列並設されている表示装置。
【請求項８】
前記複数の出力バンプ列は、それぞれ直線的に配置された複数の前記出力バンプからなる請求項６又は７に記載の表示装置。
【請求項９】
前記表示部はカラー表示が可能な構成であるとともに、複数の前記出力バンプ列が設けられた前記駆動用半導体装置において、前記ＥＬ素子の各々の色に対応する前記出力バンプが同一の前記出力バンプ列に配置され、前記出力バンプ列は、該出力バンプ列が設けられた前記駆動用半導体装置の他方の前記駆動用半導体装置に接続された前記電極に対して平行に設けられている請求項８に記載の表示装置。
【請求項１０】
対応する前記出力バンプ列が異なることによる前記ＥＬ素子間の輝度バランスのずれを抑制するための輝度バランス補正手段を備えた請求項８又は９に記載の表示装置。
【請求項１１】
請求項１０に記載の表示装置における表示部の輝度バランス調整方法であって、
前記表示部は、前記発光層の可視側に配設されたカラーフィルタを透過した透過光によってカラー表示可能な構成であり、前記輝度バランス補正手段は、前記ＥＬ素子間の輝度バランスのずれを、前記発光層及び前記カラーフィルタの少なくとも一方の成膜条件調整によって抑制するようにした輝度バランス調整方法。
【発明の詳細な説明】
【０００１】
【発明の属する技術分野】
本発明は、電極を介してＥＬ素子を駆動するための駆動用半導体装置、及び、前記駆動用半導体装置を備えた表示装置、ならびに、前記表示装置における表示部の輝度バランス調整方法に関するものである。
【０００２】
【従来の技術】
一般に、エレクトロルミネッセンス（以下、単にＥＬという）素子からなる画素を有する表示部を備えた表示装置には、互いに交差して設けられるとともにこの交差部分において前記ＥＬ素子が接続されたデータ電極と走査電極とが設けられている。例えば、前記データ電極は、データ駆動用半導体装置の出力バンプに接続される。
【０００３】
このデータ駆動用半導体装置として、例えば、図６に示す構成のものが知られている。即ち、データ駆動用半導体装置９１には、入力側回路９２が内蔵されている。入力側回路９２には、図示しない電気配線を介して複数の定電流駆動回路９３が接続されている。各定電流駆動回路９３には、出力バンプ９４を介してデータ電極９５が一つずつ接続されている。データ電極９５は、透明な材質によって構成されるとともに、前記ＥＬ素子の可視側に配置されている。出力バンプ９４は、データ駆動用半導体装置９１において前記表示部寄りの部分に一列に並んで配置されている。
【０００４】
【発明が解決しようとする課題】
例えば、前記表示装置において画像表示を高精細とするためには、前記表示部の画素を多くする必要がある。多くの画素を駆動するにはデータ電極９５が増え、チップサイズが大型化し、コストの上昇が懸念される。そのため、チップの大型化を回避するため、データ電極９５間の距離を小さく、即ち、出力バンプ９４間の距離も小さくする必要が生じる。しかしながら、前述のように出力バンプ９４が一列にのみ配置された構成では、出力バンプ９４間の距離を定電流駆動回路９３の幅よりも小さくすることができない。各定電流駆動回路９３の幅は、該回路９３の構成上の理由により幅を狭くすることが難しい。これは、前記画像表示を高精細とすることを阻害する要因となる。
【０００５】
本発明の目的は、電極間の距離を小さくすることができ、画像表示を高精細とするとともにチップ面積を小さくすることが容易な駆動用半導体装置及び表示装置、ならびに、前記表示装置における表示部の輝度バランス調整方法を提供することにある。
【０００６】
【課題を解決するための手段】
上記の問題を解決するために、請求項１に記載の発明では、電極を介してＥＬ素子を駆動するための駆動用半導体装置を対象としている。そして、前記駆動用半導体装置では、複数の定電流駆動回路又は定電圧駆動回路からなる定電流駆動回路又は定電圧駆動回路の列が複数列並設され、該定電流駆動回路又は定電圧駆動回路には前記電極に接続される出力バンプが一つずつ設けられ、定電流駆動回路又は定電圧駆動回路は各々に設けられた出力バンプを介して前記電極に接続されており、複数の前記出力バンプからなる出力バンプ列が、複数列並設されている。
【０００７】
この発明によれば、１列の出力バンプ列のみが設けられた駆動用半導体装置に比較して、出力バンプに接続される電極同士の間隔を小さくすることができ、ＥＬ素子による高精細な画像表示を小さな半導体装置で実現することが容易になる。
【０００８】
請求項２に記載の発明では、請求項１に記載の発明において、前記複数の出力バンプ列は、それぞれ直線的に配置された複数の前記出力バンプからなるとともに、互いに平行な状態で並設されている。
【０００９】
この発明によれば、複数の前記出力バンプ列の全てと、該出力バンプ列が設けられた駆動用半導体装置の他方の駆動用半導体装置に接続された電極とを、互いに平行な状態に配置することが可能になる。これによれば、複数の前記出力バンプ列間における、前記電極までの距離の差を、前記電極の延在方向に亘って一定とすることが可能になる。したがって、前記距離の差に起因するＥＬ素子間の輝度バランスのずれの補正が容易になる。
【００１０】
請求項３に記載の発明では、請求項２に記載の発明において、前記ＥＬ素子はカラー表示可能なカラー表示装置の表示部を構成するものであり、前記ＥＬ素子の各々の色に対応する前記出力バンプが、同一の前記出力バンプ列に配置されている。
【００１１】
この発明によれば、前記各出力バンプ列と、該出力バンプ列が設けられた駆動用半導体装置の他方の駆動用半導体装置に接続された電極との距離がそれぞれ異なることによる表示部の輝度バランスのずれを、ＥＬ素子における各色別の輝度補正により抑制することが可能になる。
【００１２】
請求項４に記載の発明では、請求項１〜３のいずれか一項に記載の発明において、前記出力バンプ列は、２列配置されている。
この発明によれば、例えば、複数列の出力バンプ列が設けられた駆動用半導体装置において、前記出力バンプ列の並設方向における前記駆動用半導体装置のサイズを極力小さくできる。
【００１３】
請求項５に記載の発明では、請求項１〜３のいずれか一項に記載の発明において、前記出力バンプ列は、３列配置されている。
この発明によれば、２列の出力バンプ列が設けられた駆動用半導体装置に比較して、出力バンプに接続される電極同士の間隔をさらに小さくすることができる。
【００１４】
請求項６に記載の発明では、表示装置は、データ駆動用半導体装置と、走査駆動用半導体装置とを備えている。また、前記表示装置は、前記データ駆動用半導体装置に設けられた出力バンプに接続されたデータ電極と、前記走査駆動用半導体装置に接続されるとともに前記データ電極に対して交差して設けられた走査電極とを備えている。また、前記表示装置は、前記データ電極と前記走査電極との交差部分に接続されたＥＬ素子を構成する発光層を有する表示部を備えている。そして、前記データ駆動用半導体装置には複数の定電流駆動回路又は定電圧駆動回路からなる定電流駆動回路又は定電圧駆動回路の列が複数列並設され、該定電流駆動回路又は定電圧駆動回路には前記出力バンプが一つずつ設けられ、定電流駆動回路又は定電圧駆動回路は各々に設けられた前記出力バンプを介して前記データ電極に接続されており、前記データ駆動用半導体装置には、複数の前記出力バンプからなる出力バンプ列が複数列並設されている。
請求項７に記載の発明では、表示装置は、データ駆動用半導体装置と、走査駆動用半導体装置とを備えている。また、前記表示装置は、前記データ駆動用半導体装置に接続されたデータ電極と、前記走査駆動用半導体装置に設けられた出力バンプに接続されるとともに前記データ電極に対して交差して設けられた走査電極とを備えている。また、前記表示装置は、前記データ電極と前記走査電極との交差部分に接続されたＥＬ素子を構成する発光層を有する表示部を備えている。そして、前記走査駆動用半導体装置には複数の定電流駆動回路又は定電圧駆動回路からなる定電流駆動回路又は定電圧駆動回路の列が複数列並設され、該定電流駆動回路又は定電圧駆動回路には前記出力バンプが一つずつ設けられ、定電流駆動回路又は定電圧駆動回路は各々に設けられた前記出力バンプを介して前記走査電極に接続されており、前記走査駆動用半導体装置には、複数の前記出力バンプからなる出力バンプ列が複数列並設されている。
【００１５】
請求項６及び７に記載の発明によれば、１列の出力バンプ列のみが設けられた駆動用半導体装置を備えた表示装置に比較して、電極同士の間隔を小さくすることが容易になる。つまり、表示部を高精細とすることが容易になるとともに装置を小型にすることができる。
請求項８に記載の発明では、請求項６又は７に記載の発明において、前記複数の出力バンプ列は、それぞれ直線的に配置された複数の前記出力バンプからなる。
【００１６】
請求項９に記載の発明では、請求項８に記載の発明において、前記表示部はカラー表示が可能な構成である。また、複数の前記出力バンプ列が設けられた前記駆動用半導体装置において、前記ＥＬ素子の各々の色に対応する前記出力バンプが同一の前記出力バンプ列に配置されている。そして、前記出力バンプ列は、該出力バンプ列が設けられた前記駆動用半導体装置の他方の前記駆動用半導体装置に接続された前記電極に対して平行に設けられている。
【００１７】
この発明によれば、前記各出力バンプ列と、該出力バンプ列が設けられた駆動用半導体装置の他方の駆動用半導体装置に接続された電極との距離がそれぞれ異なることによる表示部の輝度バランスのずれを、ＥＬ素子における各色別の輝度補正により抑制することが可能になる。
【００１８】
請求項１０に記載の発明では、請求項８又は９に記載の発明において、前記表示装置は、対応する前記出力バンプ列が異なることによる前記ＥＬ素子間の輝度バランスのずれを抑制するための輝度バランス補正手段を備えている。
【００１９】
この発明によれば、輝度バランス補正手段により、複数の出力バンプ列が設けられたことによる表示部の輝度バランスのずれを抑制することが可能になる。
請求項１１に記載の発明では、請求項１０に記載の表示装置における表示部の輝度バランス調整方法を対象としている。前記表示部は、前記発光層の可視側に配設されたカラーフィルタを透過した透過光によってカラー表示可能な構成である。また、前記輝度バランス補正手段は、前記ＥＬ素子間の輝度バランスのずれを、前記発光層及び前記カラーフィルタの少なくとも一方の成膜条件調整によって抑制するようにしている。
【００２０】
この発明によれば、例えば、ＥＬ素子への給電量を調整することで前記輝度バランスの調整を行う構成に比較して、前記給電量を調整するための制御回路等を設ける必要がなく、複雑な制御が必要とされない。
【００２１】
【発明の実施の形態】
（第１の実施形態）
以下、本発明をパッシブ・マトリックス駆動方式の有機ＥＬ（エレクトロルミネッセンス）表示装置において具体化した一実施形態を図１、図２及び図３に従って説明する。
【００２２】
図１は、表示装置としての有機ＥＬカラー表示装置１１の全体構成の概略構成図である。有機ＥＬカラー表示装置１１は、コントローラ１２、駆動用半導体装置（データ駆動用半導体装置）としてのデータドライバ１３、走査駆動用半導体装置としてのスキャンドライバ１４、表示部としての有機ＥＬパネル１５から構成されている。
【００２３】
有機ＥＬカラー表示装置１１のコントローラ１２は外部と接続されている。また、コントローラ１２はデータドライバ１３及びスキャンドライバ１４と接続されている。コントローラ１２は外部から入力された画像データ及び制御信号に基づいて、有機ＥＬパネル１５に画像を表示するための表示信号をデータドライバ１３及びスキャンドライバ１４に出力する。
【００２４】
データドライバ１３は有機ＥＬパネル１５に形成された電極（データ電極）としての第一電極１７と接続され、スキャンドライバ１４は有機ＥＬパネル１５に形成された走査電極としての第二電極１８と接続されている。
【００２５】
図３に示すように、データドライバ１３には、入力側回路２０が内蔵されている。入力側回路２０には、図示しない電源側に接続された給電端子２１、及び、グランド側に導通されたグランド端子２２が接続されている。また、入力側回路２０には、図示しない入力バンプ及び電気配線を介して画像データなどの信号が供給されている。なお、これら電気配線は、配線長の影響を受けにくい、例えば、銅からなる配線である。
【００２６】
また、入力側回路２０には、図示しない電気配線を介して複数の定電流駆動回路２３が接続されている。全定電流駆動回路２３は、互いに同一形状かつ同一サイズに設定されている。各定電流駆動回路２３には、前述の第一電極１７との接続ポイントとなる出力バンプ２４が一つずつ設けられている。すなわち、各定電流駆動回路２３には、各出力バンプ２４を介して第一電極１７が一つずつ接続されている。
【００２７】
各定電流駆動回路２３は、データドライバ１３内において、２列配置されている。すなわち、データドライバ１３内においては、図面左右方向に直線的に配置された複数の定電流駆動回路２３からなる定電流駆動回路２３の列が、図面上下方向に２列に並設されている。各列において、各定電流駆動回路２３は、図面左右方向において等間隔に配置されている。
【００２８】
そして、データドライバ１３においては、定電流駆動回路２３と同様に、図面左右方向に直線的に配置された複数の出力バンプ２４からなる出力バンプ２４の列が、図面上下方向に２列に並設されている。すなわち、データドライバ１３には、有機ＥＬパネル１５側に配置された出力バンプ列２４Ａと、図面においてその上方に位置する出力バンプ列２４Ｂとが設けられている。両出力バンプ列２４Ａ，２４Ｂは、互いに平行な状態で配置されている。
【００２９】
また、各出力バンプ列２４Ａ，２４Ｂにおいて、各出力バンプ２４は図面左右方向に対して等間隔に配置されている。さらに、出力バンプ列２４Ｂを構成する各出力バンプ２４は、出力バンプ列２４Ａを構成する各出力バンプ２４同士の中間部の図面上方に配置されている。したがって、各第一電極１７は、図面左右方向に等ピッチに並んで配置されるとともに、出力バンプ列２４Ａ及び出力バンプ列２４Ｂに対して交互に接続されている。すなわち、出力バンプ列２４Ａに接続された第一電極１７の隣の第一電極１７は、出力バンプ列２４Ｂに接続されている。そして、有機ＥＬパネル１５側から見た出力バンプ２４のピッチは、定電流駆動回路２３のピッチの１／２（２分の１）となっている。
【００３０】
データドライバ１３は、コントローラ１２からの表示信号に基づいて、有機ＥＬパネル１５の画素を構成する有機ＥＬ素子３０（図２（ａ）参照）を発光させるためにスイッチングを行い、定電流駆動回路２３により第一電極１７を介して前記素子３０に表示信号に応じた電流を供給する。スキャンドライバ１４は表示信号（走査信号）に対応する第二電極１８を低電源（例えばグランド）に接続する。これにより、有機ＥＬ素子３０には、表示信号に応じた電流が流れる。
【００３１】
次に、有機ＥＬパネル１５について説明する。図２（ａ）は第二電極１８に沿った有機ＥＬパネル１５の模式断面図である。
図２（ａ）に示すように、有機ＥＬパネル１５を構成する透明ガラス製の基板３１の上には、複数のカラーフィルタ３４、及び、これらを覆うように形成されたオーバーコート３３が設けられている。各カラーフィルタ３４間には、ブラックマスク３５が介在されている。また、オーバーコート３３の上には、第一電極１７、発光層３２及び第二電極１８が順次積層形成されている。なお、前述の有機ＥＬ素子３０は、発光層３２及びカラーフィルタ３４によって構成されている。また、基板３１上には、発光層３２を外気から遮断するための封止カバー（封止缶）３６が接着されている。
【００３２】
第二電極１８はアルミニウム等の金属によって構成され、発光層３２の上面に複数、平行なストライプ状に形成されている。第二電極１８は図２（ａ）の左右方向に延びるように形成されている。
【００３３】
第一電極１７は発光層３２の下面に設けられ、第二電極１８と直交する状態に形成されている。第一電極１７は、発光層３２の発光を透過可能とするため、透明な材料、例えば、ＩＴＯ（インジウム錫酸化物）を用いて形成されている。
【００３４】
発光層３２は、白色に発光する有機化合物からなっている。すなわち、発光層３２は白色発光層で構成されている。図２（ｂ）に示すように、前記画素の各ピクセル３７は３個のサブピクセル３７Ａで構成され、各サブピクセル３７Ａに対応して第一電極１７と第二電極１８との交差部分が形成されている。すなわち、各有機ＥＬ素子３０は、各サブピクセル３７Ａに対応している。各サブピクセル３７Ａは、カラーフィルタ３４のＲ（赤）、Ｇ（緑）、Ｂ（青）毎に一つずつ対応するように設けられている。本実施形態では、図２（ｂ）における左側から右側に向けて、各サブピクセル３７Ａは、前記Ｒ，Ｇ，Ｂの順にそれぞれ対応している。
【００３５】
本実施形態では、データドライバ１３の出力バンプ列２４Ａ，２４Ｂは、第二電極１８と平行な状態で設けられている。つまり、出力バンプ列２４Ａと出力バンプ列２４Ｂとの間には、第二電極１８までの距離において一定の差が存在する。この距離の差は、図３の上下方向における出力バンプ列２４Ａと出力バンプ列２４Ｂとの距離に他ならない。この距離の差は、第一電極１７に比較的電気抵抗値の高いＩＴＯを用い、対応する出力バンプ列（２４Ａ，２４Ｂ）が異なることによる有機ＥＬ素子３０間の輝度バランスのずれの原因となり得る。
【００３６】
本実施形態の有機ＥＬカラー表示装置１１においては、前述の輝度バランスのずれを抑制するために、出力バンプ列２４Ａに対応する有機ＥＬ素子３０と出力バンプ列２４Ｂに対応する有機ＥＬ素子３０との電荷量のバランスを調整すべく各定電流駆動回路２３の出力を調整するようにしている。この制御は、コントローラ１２による制御によって行われる。つまり、コントローラ１２は、同一の画像データに対して、出力バンプ列２４Ｂ側の定電流駆動回路２３に送信する表示信号の電圧値が、出力バンプ列２４Ａ側の定電流駆動回路２３に対するものよりも大きくなるように電圧値を制御する。コントローラ１２は、輝度バランス補正手段を構成している。
【００３７】
次に前記のように構成された有機ＥＬカラー表示装置１１の作用を説明する。コントローラ１２は外部から入力された画像データ及び制御信号に基づいて、表示信号をデータドライバ１３及びスキャンドライバ１４に出力する。
【００３８】
コントローラ１２から出力された表示信号に基づいて定電流駆動回路２３は、第一電極１７に電流を供給し、第一電極１７と第二電極１８との間に生じる電位差に応じた輝度にてサブピクセル３７Ａに対応する発光層３２が白色に発光する。そして、その発光層３２からの白色光がカラーフィルタ３４を透過して基板３１側から出射される。白色光が、対応する色（Ｒ，Ｇ，Ｂ）のカラーフィルタ３４を透過した後、対応する色の光となる。これらの色（Ｒ，Ｇ，Ｂ）の組み合わせにより所望の色（画像）が再現される。
【００３９】
このとき、コントローラ１２（輝度バランス補正手段）によって、前述の、対応する出力バンプ列（２４Ａ，２４Ｂ）が異なることによる有機ＥＬ素子３０間の輝度バランスのずれが抑制され、画像表示が良好に行われる。
【００４０】
以上詳述したように本実施の形態は、以下の特徴を有する。
（１）  データドライバ１３において、出力バンプ２４が複数の出力バンプ列（２４Ａ，２４Ｂ）状に並設されている。これによれば、１列の出力バンプ列のみが設けられたデータドライバに比較して、出力バンプに接続される電極同士の間隔を小さくすることができ、有機ＥＬ素子による画像表示を高精細とすることが容易になる。
【００４１】
（２）  対応する出力バンプ列（２４Ａ，２４Ｂ）が異なることによる有機ＥＬ素子３０間の輝度バランスのずれを抑制するための輝度バランス補正手段を設けた。これによれば、複数の出力バンプ列（２４Ａ，２４Ｂ）が設けられたことによる有機ＥＬパネル１５の（有機ＥＬ素子３０間の）輝度バランスのずれを抑制することが可能になる。
【００４２】
（３）  複数の出力バンプ列（２４Ａ，２４Ｂ）は、それぞれ直線的に配置された複数の出力バンプ２４からなるとともに、互いに平行な状態で並設されている。これによれば、両出力バンプ列２４Ａ，２４Ｂと、第二電極１８とを、互いに平行な状態に配置することが可能になる。したがって、両出力バンプ列２４Ａ，２４Ｂ間における、第二電極１８までの距離の差を、第二電極１８の延在方向に亘って一定とすることが可能になる。この結果、コントローラ１２（前記輝度バランス補正手段）による、前記距離の差に起因する有機ＥＬ素子３０間の輝度バランスのずれの補正が容易になる。
【００４３】
（４）  出力バンプ列（２４Ａ，２４Ｂ）は、２列配置されている。これによれば、例えば、複数列の出力バンプ列が設けられたデータドライバにおいて、前記出力バンプ列の並設方向におけるデータドライバのサイズを極力小さくできる。
【００４４】
（５）  第一電極１７は、ＩＴＯなどの透明な材質によって形成されている。ＩＴＯなどの透明な材質は、比較的、電気抵抗値が高い材質であるため、対応する出力バンプ列（２４Ａ，２４Ｂ）が異なることによる前述の有機ＥＬ素子３０間の輝度バランスのずれが発生しやすいといえる。つまり、ＩＴＯなどの透明な材質の第一電極１７を設けた有機ＥＬカラー表示装置１１において本発明を具体化することは、良好な画像表示を行うために好適であるといえる。
【００４５】
（第２の実施形態）
この第２の実施形態は、前記第１の実施形態においてデータドライバ、及び、対応する出力バンプ列が異なることによる前記輝度バランスのずれを抑制するための輝度バランス補正手段等の構成を変更したものであり、その他の点では第１の実施形態とほぼ同様の構成になっている。従って、第１の実施形態と共通する構成部分については図面上に同一符号を付して重複した説明を省略する。
【００４６】
図４に示すように、本実施形態では、前記第１の実施形態のデータドライバ１３に代えて、データドライバ４０が設けられている。データドライバ４０には、データドライバ１３同様に、入力側回路２０、給電端子２１、及び、グランド端子２２が設けられている。
【００４７】
本実施形態では、図示しない電気配線を介して入力側回路２０に接続された定電流駆動回路２３は、カラーフィルタ３４の前記Ｒ，Ｇ，Ｂのうち、前記Ｒ，Ｇに対応する複数の定電流駆動回路２３からなる列と、前記Ｂに対応する複数の定電流駆動回路２３からなる列との２列配置となっている。すなわち、出力バンプ２４は、前記Ｒ，Ｇに対応する複数の出力バンプ２４からなる出力バンプ列２４Ａと、前記Ｂに対応する複数の出力バンプ２４からなる出力バンプ列２４Ｂとの２列配置となっている。したがって、本実施形態では、前記Ｂに対応する出力バンプ２４は、前記Ｒ，Ｇに対応する出力バンプ２４よりも第二電極１８までの距離が長くなっている。なお、各出力バンプ２４に接続される第一電極１７は、図面左側から右側に向けて、前記Ｒ，Ｇ，Ｂの順に周期的に対応している。
【００４８】
本実施形態では、前記第１の実施形態とは異なり、前記輝度バランスのずれを抑制するためのコントローラ１２による前述の制御は行われない。したがって本実施形態では、前記Ｂに対応する出力バンプ２４が、前記Ｒ，Ｇに対応する出力バンプ２４よりも第二電極１８までの距離が長くなっているため、発光層３２の前記Ｂに対応する部分は、前記Ｒ，Ｇに対応する部分に比較してその輝度が低くなる。そこで、本実施形態では、カラーフィルタ３４の色の深さを調整することで、有機ＥＬ素子３０間の輝度バランスのずれを抑制するようにしている。すなわち、カラーフィルタ３４における前記Ｂの色の深さは、前記Ｒ，Ｇに対して相対的に、浅く設定されている。なお、カラーフィルタ３４自体の色の深さを調整する方法のほかに、カラーフィルタ３４の前記Ｂに対応する部分の厚さを相対的に薄く形成することや材質を異ならせることで光透過率を調整してもよい。
【００４９】
本実施形態においては、カラーフィルタ３４が輝度バランス補正手段を構成している。
本実施形態では、上記の（１）〜（５）と同様の効果の他に、以下のような効果を得ることができる。
【００５０】
（６）  有機ＥＬ素子３０の各々の色（Ｒ，Ｇ，Ｂ）に対応する出力バンプ２４が、同一の出力バンプ列（２４Ａ，２４Ｂ）に配置されている。これによれば、出力バンプ２４と第二電極１８との距離を、前述の各色別に一定にすることが可能になる。つまり、有機ＥＬパネル１５の（有機ＥＬ素子３０間の）輝度バランスのずれを、前述の各色別の輝度補正により抑制することが可能になる。したがって、前記輝度バランス補正手段の構成の簡素化が容易になり得る。
【００５１】
（７）  有機ＥＬ素子３０間の輝度バランスのずれを、カラーフィルタ３４の成膜条件調整（前述のカラーフィルタ３４自体の色の深さや厚さの調整、材質の相異等による光透過率調整）によって抑制するようにした。これによれば、例えば、有機ＥＬ素子３０への供給電流を調整することで前記輝度バランスの調整を行う構成に比較して、前記供給電流を調整するための制御回路等を設ける必要がなく、複雑な制御が必要とされない。
【００５２】
（第３の実施形態）
この第３の実施形態は、前記第２の実施形態においてデータドライバ等の構成を変更したものであり、その他の点では第２の実施形態とほぼ同様の構成になっている。従って、第２の実施形態と共通する構成部分については図面上に同一符号を付して重複した説明を省略する。
【００５３】
図５に示すように、本実施形態では、前記第２の実施形態のデータドライバ４０に代えて、データドライバ５０が設けられている。データドライバ５０には、データドライバ４０同様に、入力側回路２０、給電端子２１、及び、グランド端子２２が設けられている。
【００５４】
本実施形態では、図示しない電気配線を介して入力側回路２０に接続された定電流駆動回路２３は、カラーフィルタ３４の前記Ｒ，Ｇ，Ｂの各色に対応する複数の定電流駆動回路２３からなる３列配置となっている。すなわち、出力バンプ２４は、前記Ｒに対応する複数の出力バンプ２４からなる出力バンプ列２４Ｃと、前記Ｇに対応する複数の出力バンプ２４からなる出力バンプ列２４Ｄと、前記Ｂに対応する複数の出力バンプ２４からなる出力バンプ列２４Ｅとの３列配置となっている。
【００５５】
データドライバ５０において、各出力バンプ列２４Ｃ，２４Ｄ，２４Ｅは、同順に、有機ＥＬパネル１５側から図面上方に向けて配置されている。各出力バンプ列２４Ｃ，２４Ｄ，２４Ｅは、第二電極１８に対して平行な状態で配置されている。したがって、本実施形態では、前記Ｇに対応する出力バンプ２４は、前記Ｒに対応する出力バンプ２４よりも、さらに、前記Ｂに対応する出力バンプ２４は、前記Ｇに対応する出力バンプ２４よりも、第二電極１８までの距離が長くなっている。なお、各出力バンプ２４に接続される第一電極１７は、図面左側から右側に向けて、前記Ｒ，Ｇ，Ｂの順に周期的に対応している。
【００５６】
本実施形態では、前記第２の実施形態と同様に、カラーフィルタ３４の色の深さを調整することで、有機ＥＬ素子３０間の輝度バランスのずれを抑制するようにしている。すなわち、カラーフィルタ３４における前記Ｇの色の深さは、前記Ｒに対して、さらに、前記Ｂの色の深さは、前記Ｇに対して、相対的に浅く設定されている。なお、本実施形態においても、前記第２の実施形態と同様に、カラーフィルタ３４自体の色の深さを調整する方法のほかに、カラーフィルタ３４の厚さを色別に設定することや材質を異ならせることで光透過率を調整してもよい。
【００５７】
本実施形態では、上記の（１）〜（３）及び（５）〜（７）と同様の効果の他に、以下のような効果を得ることができる。
（８）  出力バンプ列（２４Ｃ，２４Ｄ，２４Ｅ）は、３列配置されている。これによれば、例えば、２列の出力バンプ列が設けられたデータドライバに比較して、第一電極１７同士の間隔をさらに小さくすることができる。
【００５８】
実施の形態は前記に限定されるものではなく、例えば、以下の様態としてもよい。
○  前記第２及び第３の実施形態では、カラーフィルタ３４の成膜条件調整によって前記輝度バランスのずれの抑制を図った。これに代えて、発光層３２の成膜条件調整によって前記輝度バランスのずれの抑制を図ってもよい。この場合、発光層３２の成膜条件調整としては、例えば、前記第２の実施形態では、発光層３２全体に対して、発光色におけるＢ（青）成分を相対的に増加させるためのドーパント量を調整すること等が挙げられる。また、例えば、前記第３の実施形態では、発光層３２における前記Ｇ（緑），Ｂ（青）に対応する部分に、発光色におけるそれぞれの色成分を相対的に増加させるためのドーパント量を調整すること等が挙げられる。
【００５９】
○  前記第１の実施形態では、コントローラ１２による定電流駆動回路２３に対する制御によって前記輝度バランスのずれの抑制を図ったが、これに代えて、カラーフィルタ３４や発光層３２に対する前述同様の成膜条件調整によって前記輝度バランスのずれの抑制を図ってもよい。
【００６０】
○  前記第２及び第３の実施形態では、カラーフィルタ３４の成膜条件調整によって前記輝度バランスのずれの抑制を図ったが、これに代えて、コントローラ１２による定電流駆動回路２３に対する制御によって前記輝度バランスのずれの抑制を図ってもよい。
【００６１】
○  前記実施形態において、コントローラ１２による制御は、ＰＷＭ制御であってもよく、また、ＰＨＭ制御であってもよい。
○  前記実施形態では、定電流駆動回路２３を用いて有機ＥＬ素子３０を駆動したが、定電圧駆動回路を用いて駆動してもよい。
【００６２】
○  前記実施形態では、前記輝度バランスのずれの抑制が図られたが、これは必ずしも行われなくてよい。また、前記輝度バランス補正手段は必ずしも設けられる必要はない。
【００６３】
○  前記実施形態では、カラーフィルタ３４を光の３原色であるＲ，Ｇ，Ｂの各色によって構成したが、前記３原色以外の３色によって構成してもよい。
○  カラーフィルタ３４は、３色から構成されるものでなくてもよい。例えば、２色、または、４色から構成されるものであってもよい。
【００６４】
○  有機ＥＬパネル１５を、モノクロ表示用の構成としてもよい。
○  発光層３２は白色発光層に限らず、青色発光層など、発光スペクトルが同一の発光層を使用してもよい。その場合、カラーフィルタとして、発光層３２の発光スペクトルを赤色、緑色のスペクトルに波長変換するフィルタ（色変換フィルタ）を用いてもよい。
【００６５】
○  発光層３２を、カラーフィルタを用いることなく表示色変化が可能な多色発光層としてもよい。この場合、例えば、発光層３２において各サブピクセル３７Ａに対応する部分を、それぞれ、Ｒ（赤）、Ｇ（緑）、Ｂ（青）に発光する構成とする。なお、発光層３２の各サブピクセル３７Ａに対応する部分の発光色は前記Ｒ，Ｇ，Ｂには限定されない。また、３色には限定されない。すなわち、ピクセル３７を構成するサブピクセル３７Ａの数は３に限定されない。
【００６６】
○  有機ＥＬ素子３０に代えて、無機ＥＬ素子を用いてもよい。
○  第二電極１８は透明な材質からなるものでなくてもよい。
○  前記実施形態では、基板３１側から発光を取り出す構造の有機ＥＬパネル１５にて具体化したが、封止カバー側から発光を取り出す構造の有機ＥＬパネルにて具体化してもよい。その有機ＥＬパネルは、透明な封止カバーを使用し、封止カバーと発光層の間にカラーフィルタを備える。そして、封止カバーと発光層との間の電極は透明であることは言うまでもない。
【００６７】
○  各出力バンプ列（２４Ａ，２４Ｂ，２４Ｃ，２４Ｄ，２４Ｅ）は、必ずしも互いに平行に並設されていなくてもよい。
○  出力バンプ列２４Ａ，２４Ｂ，２４Ｃ，２４Ｄ，２４Ｅにおいて、出力バンプ２４は必ずしも直線的に配置されていなくてもよい。
【００６８】
○  データドライバにおいて、４列以上の出力バンプ列が設けられていてもよい。
○  有機ＥＬ素子３０の各々の色（例えば前記Ｒ，Ｇ，Ｂ）に対応する出力バンプ２４は、必ずしも同一の出力バンプ列（２４Ａ，２４Ｂ，２４Ｃ，２４Ｄ，２４Ｅ）に配置されていなくてもよい。
【００６９】
○  前記実施形態では、本発明の駆動用半導体装置を、第一電極１７に接続されるデータドライバ１３に具体化したが、第二電極１８に接続されるスキャンドライバ１４に具体化してもよい。
【００７０】
【発明の効果】
以上詳述したように、請求項１〜５に記載の発明によれば、駆動用半導体装置において、電極間の距離を小さくすることができ、画像表示を高精細とするとともにチップ面積を小さくすることが容易になる。また、請求項６〜１０に記載の発明によれば、表示装置において、画像表示を高精細とするとともに装置を小型にすることが容易になる。さらに、請求項１１に記載の発明によれば、前記表示装置における表示部の輝度バランス調整方法において、前記輝度バランスを調整するための複雑な制御が不要となる。
【図面の簡単な説明】
【図１】第１の実施形態の有機ＥＬカラー表示装置の模式概略構成図。
【図２】同じく、（ａ）は有機ＥＬパネルの模式断面図、（ｂ）はピクセルを示す模式図。
【図３】同じく、データドライバの模式概略構成図。
【図４】第２の実施形態のデータドライバの模式概略構成図。
【図５】第３の実施形態のデータドライバの模式概略構成図。
【図６】従来技術におけるデータ駆動用半導体装置の模式概略構成図。
【符号の説明】
１１…表示装置としての有機ＥＬカラー表示装置、１３，４０，５０…駆動用半導体装置（データ駆動用半導体装置）としてのデータドライバ、１４…走査駆動用半導体装置としてのスキャンドライバ、１５…表示部としての有機ＥＬパネル、１７…電極（データ電極）としての第一電極、１８…走査電極としての第二電極、２４…出力バンプ、２４Ａ，２４Ｂ，２４Ｃ，２４Ｄ，２４Ｅ…出力バンプ列、３０…ＥＬ素子としての有機ＥＬ素子、３２…発光層、３４…カラーフィルタ。
【図１】
0003757899.tif 000002
【図２】
0003757899.tif 000003
【図３】
0003757899.tif 000004
【図４】
0003757899.tif 000005
【図５】
0003757899.tif 000006
【図６】
0003757899.tif 000007